(57)【要約】【課題】複写制限原稿の不正な複写を防止することができる複写機の提供。【解決手段】使用者が複写制限原稿の複写が許可された複写許可者であるか否かを判別する使用者判別装置２と、セットされた原稿が複写制限原稿であるか否かを判別する原稿判別手段３と、複写動作を制御する複写制御器４とを備え、使用者の複写操作により、原稿の記載内容をＰＰＣ用紙に複写する複写動作を行う複写機Ａであって、使用者が複写許可者であると使用者判別装置２が判別せず、且つ、セットされた原稿が複写制限原稿であると原稿判別手段３が判別した状態で使用者が複写操作を行うと、複写制御器４は、ＰＰＣ用紙に複写された複写内容が判読不能になる様に複写機本体１を複写動作させる。【選択図】            図２
2004245962.tif 000002
【特許請求の範囲】
【請求項１】
使用者が複写制限原稿の複写が許可された複写許可者であるか否かを判別する使用者判別手段と、
コンタクトガラス上や原稿給紙トレイの原稿セットガイド内にセットされた原稿が前記複写制限原稿であるか否かを判別する原稿判別手段と、
複写動作を制御する複写制御手段とを備え、前記使用者の複写操作により、前記原稿の記載内容をプレーンペーパーコピー用紙に複写する前記複写動作を行う複写機であって、
前記使用者が前記複写許可者であると前記使用者判別手段が判別せず、且つ、セットされた前記原稿が前記複写制限原稿であると前記原稿判別手段が判別した状態で前記使用者が複写操作を行うと、
前記複写制御手段は、前記複写動作を禁止するか、複写である旨を示す文字や図形が前記プレーンペーパーコピー用紙に添付される様に複写動作させるか、前記プレーンペーパーコピー用紙に複写された複写内容が判読不能になる様に複写動作させることを特徴とする複写を制限した複写機。
【請求項２】
前記使用者判別手段は、前記複写許可者の登録済指紋と前記使用者の指紋との照合、登録済の暗証番号と使用者が入力した番号との照合、ＩＤ情報を磁気等で格納したＩＤカードによる照合、前記複写許可者の登録済声紋と使用者の声紋との照合、または前記複写許可者の登録済網膜画像と使用者の網膜画像との照合により、前記使用者が前記複写許可者であるか否かの判別を行うことを特徴とする請求項１に記載の複写を制限した複写機。
【請求項３】
前記原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする請求項１または請求項２に記載の複写を制限した複写機。
【請求項４】
使用者が取込制限原稿のデータ取込が許可された取込許可者であるか否かを判別する使用者判別手段と、
原稿台上やオートドキュメントフィーダの原稿セットガイド内にセットされた原稿が前記取込制限原稿であるか否かを判別する原稿判別手段と、
取込動作を制御する取込制御手段とを備え、前記使用者の取込操作により、前記原稿の記載内容をパソコンに取込む前記取込動作を行うスキャナであって、
前記使用者が前記取込許可者であると前記使用者判別手段が判別せず、且つ、セットされた前記原稿が前記取込制限原稿であると前記原稿判別手段が判別した状態で前記使用者が取込操作を行うと、
前記取込制御手段は、前記取込動作を禁止するか、取込データである旨を示す文字や図形が取込データ中に付加される様に取込動作をさせるか、前記パソコンに取込んだ取込データが利用不能になる様に取込動作させることを特徴とする取込を制限したスキャナ。
【請求項５】
使用者判別手段は、前記取込許可者の登録済指紋と前記使用者の指紋との照合、登録済の暗証番号と使用者が入力した番号との照合、ＩＤ情報を磁気等で格納したＩＤカードによる照合、前記取込許可者の登録済声紋と使用者の声紋との照合、または前記取込許可者の登録済網膜画像と使用者の網膜画像との照合により、前記使用者が前記取込許可者であるか否かの判定を行うことを特徴とする請求項４に記載の取込を制限したスキャナ。
【請求項６】
前記原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする請求項４または請求項５に記載の取込を制限したスキャナ。
【請求項７】
使用者が電送制限原稿の電送が許可された電送許可者であるか否かを判別する使用者判別手段と、
原稿給紙トレイの原稿セットガイド内にセットされた原稿が前記電送制限原稿であるか否かを判別する原稿判別手段と、
電送動作を制御する電送制御手段とを備え、前記使用者の電送操作により、前記原稿の記載内容を相手先に電送する前記電送動作を行うファクシミリ装置であって、
前記使用者が前記電送許可者であると前記使用者判別手段が判別せず、且つ、セットされた前記原稿が前記電送制限原稿であると前記原稿判別手段が判別した状態で前記使用者が電送操作を行うと、
前記電送制御手段は、前記電送動作を禁止するか、電送データが利用不能になる様に電送動作させることを特徴とする電送を制限したファクシミリ装置。
【請求項８】
前記使用者判別手段は、前記電送許可者の登録済指紋と前記使用者の指紋との照合、登録済の暗証番号と使用者が入力した番号との照合、ＩＤ情報を磁気等で格納したＩＤカードによる照合、前記電送許可者の登録済声紋と使用者の声紋との照合、または前記電送許可者の登録済網膜画像と使用者の網膜画像との照合により、前記使用者が前記電送許可者であるか否かの判定を行うことを特徴とする請求項７に記載の電送を制限したファクシミリ装置。
【請求項９】
前記原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする請求項７または請求項８に記載の電送を制限したファクシミリ装置。
【発明の詳細な説明】
【０００１】
【発明の属する技術分野】
本発明は、複写を制限した複写機、取込を制限したスキャナ、および電送を制限したファクシミリ装置に関する。
【０００２】
【従来の技術】
特許文献１には、４８０ｎｍ〜５８０ｎｍの波長の光の反射率が高い色の基紙に、複写機の電子写真感光体に使用する光導電性物質に有感である色の印刷インキにて印刷する、印刷物の複製防止法が記載されている。
【０００３】
【特許文献１】
特開平１−  １２１８８５号公報    （第１頁〜第３頁、第１図）
【０００４】
【発明が解決しようとする課題】
上記特許文献１に記載の技術では、色付きの用紙（基紙）を使用するので印刷物を見る人が違和感を感じる。
また、正当な理由で複製物が必要な場合に複製が作れず、不便である。
【０００５】
本発明の第１の目的は、複写制限原稿の不正な複写を防止することができる複写機の提供にある。
本発明の第２の目的は、取込制限原稿の不正な取込を防止することができるスキャナの提供にある。
本発明の第３の目的は、電送制限原稿の不正な電送を防止することができるファクシミリ装置の提供にある。
【０００６】
【課題を解決するための手段】
上記課題を解決するため、本発明は、下記の構成を採用した。
（１）使用者が複写制限原稿の複写が許可された複写許可者であるか否かを判別する使用者判別手段と、コンタクトガラス上や原稿給紙トレイの原稿セットガイド内にセットされた原稿が前記複写制限原稿であるか否かを判別する原稿判別手段と、複写動作を制御する複写制御手段とを備え、前記使用者の複写操作により、前記原稿の記載内容をプレーンペーパーコピー用紙に複写する前記複写動作を行う複写を制限した複写機であって、前記使用者が前記複写許可者であると前記使用者判別手段が判別せず、且つ、セットされた前記原稿が前記複写制限原稿であると前記原稿判別手段が判別した状態で前記使用者が複写操作を行うと、前記複写制御手段は、前記複写動作を禁止するか、複写である旨を示す文字や図形が前記プレーンペーパーコピー用紙に添付される様に複写動作させるか、前記プレーンペーパーコピー用紙に複写された複写内容が判読不能になる様に複写動作させることを特徴とする。
【０００７】
（２）複写を制限した（１）の構成を有する複写機の使用者判別手段は、前記複写許可者の登録済指紋と前記使用者の指紋との照合、登録済の暗証番号と使用者が入力した番号との照合、ＩＤ情報を磁気等で格納したＩＤカードによる照合、前記複写許可者の登録済声紋と使用者の声紋との照合、または前記複写許可者の登録済網膜画像と使用者の網膜画像との照合により、前記使用者が前記複写許可者であるか否かの判別を行うことを特徴とする。
【０００８】
（３）複写を制限した（１）または（２）の構成を有する複写機の原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする。
【０００９】
（４）使用者が取込制限原稿のデータ取込が許可された取込許可者であるか否かを判別する使用者判別手段と、原稿台上やオートドキュメントフィーダの原稿セットガイド内にセットされた原稿が前記取込制限原稿であるか否かを判別する原稿判別手段と、取込動作を制御する取込制御手段とを備え、前記使用者の取込操作により、前記原稿の記載内容をパソコンに取込む前記取込動作を行う取込を制限したスキャナであって、前記使用者が前記取込許可者であると前記使用者判別手段が判別せず、且つ、セットされた前記原稿が前記取込制限原稿であると前記原稿判別手段が判別した状態で前記使用者が取込操作を行うと、前記取込制御手段は、前記取込動作を禁止するか、取込データである旨を示す文字や図形が取込データ中に付加される様に取込動作させるか、前記パソコンに取込んだ取込データが利用不能になる様に取込動作させることを特徴とする。
【００１０】
（５）取込を制限した（４）の構成を有するスキャナの使用者判別手段は、前記取込許可者の登録済指紋と前記使用者の指紋との照合、登録済の暗証番号と使用者が入力した番号との照合、ＩＤ情報を磁気等で格納したＩＤカードによる照合、前記取込許可者の登録済声紋と使用者の声紋との照合、または前記取込許可者の登録済網膜画像と使用者の網膜画像との照合により、前記使用者が前記取込許可者であるか否かの判定を行うことを特徴とする。
【００１１】
（６）取込を制限した（４）または（５）の構成を有するスキャナの原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする。
【００１２】
（７）使用者が電送制限原稿の電送が許可された電送許可者であるか否かを判別する使用者判別手段と、原稿給紙トレイの原稿セットガイド内にセットされた原稿が前記電送制限原稿であるか否かを判別する原稿判別手段と、電送動作を制御する電送制御手段とを備え、前記使用者の電送操作により、前記原稿の記載内容を相手先に電送する前記電送動作を行う電送を制限したファクシミリ装置であって、前記使用者が前記電送許可者であると前記使用者判別手段が判別せず、且つ、セットされた前記原稿が前記電送制限原稿であると前記原稿判別手段が判別した状態で前記使用者が電送操作を行うと、前記電送制御手段は、前記電送動作を禁止するか、電送データが利用不能になる様に電送動作させることを特徴とする。
【００１３】
（８）電送を制限した（７）の構成を有するファクシミリ装置の前記使用者判別手段は、前記電送許可者の登録済指紋と前記使用者の指紋との照合、登録済の暗証番号と使用者が入力した番号との照合、ＩＤ情報を磁気等で格納したＩＤカードによる照合、前記電送許可者の登録済声紋と使用者の声紋との照合、または前記電送許可者の登録済網膜画像と使用者の網膜画像との照合により、前記使用者が前記電送許可者であるか否かの判定を行うことを特徴とする。
【００１４】
（９）取込を制限した（７）または（８）の構成を有するスキャナの前記原稿判別手段は、磁気・磁性インクを感知する磁気センサ、マイクロ文字を感知するセンサ、共振回路を感知するセンサ、または原稿の導電率が所定範囲外であることを感知する導電率センサであることを特徴とする。
【００１５】
【作用および発明の効果】
（請求項１）
使用者判別手段は、使用者が複写制限原稿の複写が許可された複写許可者であるか否かを判別する。
原稿判別手段は、コンタクトガラス上や原稿給紙トレイの原稿セットガイド内にセットされた原稿が複写制限原稿であるか否かを判別する。なお、原稿セットガイド内にセットされた複数枚の原稿中に１枚でも複写制限原稿が有る場合には、原稿判別手段が複写制限原稿であると判別するのが望ましい。
【００１６】
使用者が複写許可者であると使用者判別手段が判別した場合において、使用者が複写操作を行うと、原稿が複写制限原稿であるか否かに関わらず、複写制御手段は、原稿の記載内容がプレーンペーパーコピー用紙に複写される様に複写機を複写動作させる。
【００１７】
セットされた原稿が複写制限原稿で無いと原稿判別手段が判別した場合において、使用者が複写許可者であるか否かに関わらず、使用者が複写操作を行うと、複写制御手段は、原稿の記載内容がプレーンペーパーコピー用紙に複写される様に複写機に複写動作させる。
【００１８】
使用者が複写許可者であると使用者判別手段が判別せず、且つ、セットされた原稿が複写制限原稿であると原稿判別手段が判別した状態で使用者が複写操作を行うと、複写制御手段は、複写動作を禁止するか、複写である旨を示す文字や図形がプレーンペーパーコピー用紙に添付される様に複写機を複写動作させるか、またはプレーンペーパーコピー用紙に複写された複写内容が判読不能になる様に複写機を複写動作させる。
【００１９】
複写を制限した複写機は、上記の様に作動するので、非複写許可者による複写制限原稿の不正な複写を防止することができる。
また、複写許可者であることが判別されると、複写制限原稿を複写することができるので、使い勝手が良い。
なお、複写制限原稿の用紙に色を付ける必要がないので、複写制限原稿を取り扱う人が違和感を感じない。
【００２０】
（請求項２）
使用者判別手段は、以下に示す構成（複数可）を用いているので、使用者が複写許可者であるか否かを容易に判別することができる。
【００２１】
・使用者の指紋と複写許可者の登録済指紋とを照合し、両者が一致する場合には、使用者が複写許可者であると判別する。
・使用者が入力した番号と登録済の暗証番号とを照合し、両者が一致する場合には、使用者が複写許可者であると判別する。
【００２２】
・使用者が提示（挿入・載置等）したＩＤカードに磁気等で格納したＩＤ情報と、登録済のＩＤ情報とを照合し、両者が一致する場合には、使用者が複写許可者であると判別する。
【００２３】
・使用者が発した声の声紋と複写許可者の登録済声紋とを照合し、両者が一致する場合には、使用者が複写許可者であると判別する。
【００２４】
・使用者の網膜画像と複写許可者の登録済網膜画像とを照合し、両者が一致する場合には、使用者が複写許可者であると判別する。
【００２５】
（請求項３）
原稿判別手段は、以下に示すセンサ（複数可）を用いているので、原稿が複写制限原稿であるか否かを容易に判別することができる。
・磁気・磁性インクを感知する磁気センサ
なお、原稿を複写制限原稿にする場合には、磁気・磁性インクを使用して、文字や図形を用紙に描く。
【００２６】
・マイクロ文字を感知するセンサ
このセンサを採用する場合には、複写動作を行う前にセンサにより原稿を走査させる必要がある。
なお、原稿を複写制限原稿にする場合には、マイクロ文字を使用して、文字や図形を用紙に描く。
【００２７】
・共振回路を感知するセンサ
なお、原稿を複写制限原稿にする場合には、用紙に導電帯を形成して共振回路を形成する。
【００２８】
・原稿の導電率が所定範囲外であることを感知する導電率センサ
この導電率センサを採用する場合には、複写動作を行う前に導電率センサにより原稿の導電率を検出させる必要がある。
なお、原稿を複写制限原稿にする場合には、導電率が所定範囲外の用紙を使用する。
【００２９】
（請求項４）
使用者判別手段は、使用者が取込制限原稿のデータ取込が許可された取込許可者であるか否かを判別する。
【００３０】
原稿判別手段は、原稿台上やオートドキュメントフィーダの原稿セットガイド内にセットされた原稿が前記取込制限原稿であるか否かを判別する。なお、オートドキュメントフィーダにセットされた複数枚の原稿中に１枚でも取込制限原稿が有る場合には、原稿判別手段が複写制限原稿であると判別するのが望ましい。
【００３１】
使用者が取込許可者であると使用者判別手段が判別した場合において、使用者が取込操作を行うと、原稿が複写制限原稿であるか否かに関わらず、取込制御手段は、原稿の記載内容がパソコンに取込まれる様にスキャナを取込動作させる。
【００３２】
セットされた原稿が取込制限原稿で無いと原稿判別手段が判別した場合において、使用者が取込許可者であるか否かに関わらず、使用者が取込操作を行うと、取込制御手段は、原稿の記載内容がパソコンに取込まれる様にスキャナを取込動作させる。
【００３３】
使用者が取込許可者であると使用者判別手段が判別せず、且つ、セットされた原稿が取込制限原稿であると原稿判別手段が判別した状態で使用者が取込操作を行うと、取込制御手段は、取込動作を禁止するか、取込データである旨を示す文字や図形が取込データ中に付加される様に取込動作させるか、パソコンに取込んだ取込データが利用不能になる様にスキャナを取込動作させる。
【００３４】
取込を制限したスキャナは、上記の様に作動するので、非取込許可者による取込制限原稿の不正な取込を防止することができる。
また、取込許可者であることが判別されると、取込制限原稿を取込むことができるので、使い勝手が良い。
なお、取込制限原稿の用紙に色を付ける必要がないので、取込制限原稿を見る人が違和感を感じない。
【００３５】
（請求項５）
使用者判別手段は、以下に示す構成（複数可）を用いているので、使用者が取込許可者であるか否かを容易に判別することができる。
【００３６】
・使用者の指紋と取込許可者の登録済指紋とを照合し、両者が一致する場合には、使用者が取込許可者であると判別する。
・使用者が入力した番号と登録済の暗証番号とを照合し、両者が一致する場合には、使用者が取込許可者であると判別する。
【００３７】
・使用者が提示（挿入・載置等）したＩＤカードに磁気等で格納したＩＤ情報と、登録済のＩＤ情報とを照合し、両者が一致する場合には、使用者が取込許可者であると判別する。
【００３８】
・使用者が発した声の声紋と取込許可者の登録済声紋とを照合し、両者が一致する場合には、使用者が取込許可者であると判別する。
【００３９】
・使用者の網膜画像と複写許可者の登録済網膜画像とを照合し、両者が一致する場合には、使用者が取込許可者であると判別する。
【００４０】
（請求項６）
原稿判別手段は、以下に示すセンサ（複数可）を用いているので、原稿が取込制限原稿であるか否かを容易に判別することができる。
・磁気・磁性インクを感知する磁気センサ
なお、原稿を取込制限原稿にする場合には、磁気・磁性インクを使用して、文字や図形を用紙に描く。
【００４１】
・マイクロ文字を感知するセンサ
このセンサを採用する場合には、取込動作を行う前にセンサにより原稿を走査させる必要がある。
なお、原稿を取込制限原稿にする場合には、マイクロ文字を使用して、文字や図形を用紙に描く。
【００４２】
・共振回路を感知するセンサ
なお、原稿を取込制限原稿にする場合には、用紙に導電帯を形成して共振回路を形成する。
【００４３】
・原稿の導電率が所定範囲外であることを感知する導電率センサ
この導電率センサを採用する場合には、取込動作を行う前に導電率センサにより原稿の導電率を検出させる必要がある。
なお、原稿を取込制限原稿にする場合には、導電率が所定範囲外の用紙を使用する。
【００４４】
（請求項７）
使用者判別手段は、使用者が電送制限原稿の電送が許可された電送許可者であるか否かを判別する。
【００４５】
原稿判別手段は、原稿給紙トレイの原稿セットガイド内にセットされた原稿が電送制限原稿であるか否かを判別する。なお、原稿セットガイド内にセットされた複数の原稿中に１枚でも電送制限原稿が有る場合には、原稿判別手段が電送制限原稿であると判別するのが望ましい。
【００４６】
使用者が電送許可者であると使用者判別手段が判別した場合において、使用者が電送操作を行うと、原稿が電送制限原稿であるか否かに関わらず、電送制御手段がファクシミリ装置に電送動作を行わせて、原稿の記載内容を相手先に電送する。
【００４７】
セットされた原稿が電送制限原稿で無いと原稿判別手段が判別した場合において、使用者が電送許可者であるか否かに関わらず、使用者が電送操作を行うと、電送制御手段がファクシミリ装置に電送動作を行わせて、原稿の記載内容を相手先に電送する。
【００４８】
使用者が電送許可者であると使用者判別手段が判別せず、且つ、セットされた原稿が電送制限原稿であると原稿判別手段が判別した状態で使用者が電送操作を行うと、電送制御手段は、電送動作を禁止するか、電送データが利用不能になる様にファクシミリ装置を電送動作させる。
【００４９】
電送を制限したファクシミリ装置は、上記の様に作動するので、非電送許可者による電送制限原稿の不正な電送を防止することができる。
また、電送許可者であることが判別されると、電送制限原稿を取込むことができるので、使い勝手が良い。
【００５０】
（請求項８）
使用者判別手段は、以下に示す構成（複数可）を用いているので、使用者が電送許可者であるか否かを容易に判別することができる。
【００５１】
・使用者の指紋と電送許可者の登録済指紋とを照合し、両者が一致する場合には、使用者が電送許可者であると判別する。
・使用者が入力した番号と登録済の暗証番号とを照合し、両者が一致する場合には、使用者が電送許可者であると判別する。
【００５２】
・使用者が提示（挿入・載置等）したＩＤカードに磁気等で格納したＩＤ情報と、登録済のＩＤ情報とを照合し、両者が一致する場合には、使用者が電送許可者であると判別する。
【００５３】
・使用者が発した声の声紋と取込許可者の登録済声紋とを照合し、両者が一致する場合には、使用者が電送許可者であると判別する。
【００５４】
・使用者の網膜画像と複写許可者の登録済網膜画像とを照合し、両者が一致する場合には、使用者が電送許可者であると判別する。
【００５５】
（請求項９）
原稿判別手段は、以下に示すセンサ（複数可）を用いているので、原稿が電送制限原稿であるか否かを容易に判別することができる。
・磁気・磁性インクを感知する磁気センサ
なお、原稿を電送制限原稿にする場合には、磁気・磁性インクを使用して、文字や図形を用紙に描く。
【００５６】
・マイクロ文字を感知するセンサ
このセンサを採用する場合には、電送動作を行う前にセンサにより原稿を走査させる必要がある。
なお、原稿を電送制限原稿にする場合には、マイクロ文字を使用して、文字や図形を用紙に描く。
【００５７】
・共振回路を感知するセンサ
なお、原稿を電送制限原稿にする場合には、用紙に導電帯を形成して共振回路を形成する。
【００５８】
・原稿の導電率が所定範囲外であることを感知する導電率センサ
この導電率センサを採用する場合には、電送動作を行う前に導電率センサにより原稿の導電率を検出させる必要がある。
なお、原稿を取込制限原稿にする場合には、導電率が所定範囲外の用紙を使用する。
【００５９】
【発明の実施の形態】
本発明の第１実施例（請求項１〜３に対応）を、図１および図２に基づいて説明する。
図に示す様に、複写機Ａは、複写機本体１と、使用者の種別を判別する使用者判別装置２と、原稿の種別を判別する原稿判別手段３と、複写機本体１の複写動作を制御する複写制御器４とを備える。
【００６０】
複写機本体１は、用紙の大きさが異なるＰＰＣ用紙（プレーンペーパーコピー用紙）を収納した用紙格納ラック１１、給紙装置１２、手差し用の原稿給紙トレイ１３、および原稿給紙トレイ１４を有する原稿押え１５等を備える。
【００６１】
使用者判別装置２は、複写許可者（複数人可）の指紋を格納しておくメモリ（図示せず）と、メモリに格納された複写許可者の登録済指紋と、指２０の指紋を光学的に採取する指紋検出器２１が採取した使用者の指紋とを照合し、合致しているか否かを判別する照合部（図示せず）とを備える。
【００６２】
原稿判別手段３は、複写制限原稿（図示せず）に使われる磁気・磁性インクを感知する磁気センサ３１、３２、３３と、用紙に形成した導電帯（透明が好適）を感知する共振回路センサ３４、３５、３６と、原稿カバーセンサ３７と、これらセンサの信号に基づいて原稿の判別を行う原稿判別装置３０とを備える。
なお、原稿判別手段３は、複写機Ａの電源投入により、作動を開始する。
【００６３】
磁気センサ３１および共振回路センサ３４は、原稿給紙トレイ１４に装着された原稿セットガイド１４１の上面に配設されている。
これらのセンサは、原稿セットガイド１４１にセットされた原稿が複写制限原稿であるか否かを判別するためのものである。
【００６４】
磁気センサ３２および共振回路センサ３５は、原稿送りベルト１５１より上方の原稿押え１５の裏面に配設されている。
これらのセンサは、コンタクトガラス１００上にセットされた原稿が複写制限原稿であるか否かを判別するためのものである。
【００６５】
磁気センサ３３および共振回路センサ３６は、手差し用の原稿給紙トレイ１３に装着された手差しテーブル１３１の上面に配設されている。
これらのセンサは、手差しテーブル１３１にセットされた原稿が複写制限原稿であるか否かを判別するためのものである。
【００６６】
原稿カバーセンサ３７は、原稿押え１５が閉じているか、開いているかを検知するためのものである。この原稿カバーセンサ３７は、原稿押え１５を開いた状態での、複写制限原稿の不正複写を防止するためのものである。なお、原稿押え１５を開くと、原稿−  センサ間の距離が大きくなるので、磁気センサ３２および共振回路センサ３５が複写制限原稿を感知し難くなる。
【００６７】
複写制御器４は、下記の様に複写機本体１を制御する。
（使用者が複写許可者である場合）
使用者が自分の指２０を指紋検出器２１の上に置いて、メモリに格納された複写許可者の登録済指紋と、指２０の指紋とを照合させる。
【００６８】
指紋が合致した場合には、複写制御器４がキセノン光源発光制御回路（図示せず）へ、所定時間が経過するか、所定複写枚数に達する迄、発光許可信号４０を出力するとともに、原稿判別手段３を機能停止状態にする。
これにより、使用者（複写許可者）は、所定時間が経過するか、所定複写枚数に達する迄、複写機Ａを複写制限無しで使用できる。
【００６９】
（使用者が指紋照合を行わない場合や、指紋が合致しない場合）
複写制御器４は、原稿判別手段３の作動状態を維持する。
原稿セットガイド１４１、コンタクトガラス１００上、または手差しテーブル１３１に原稿をセットする。
【００７０】
セットされた原稿が複写制限原稿であるか否かを原稿判別手段３が判別する。
セットされた原稿が複写制限原稿であると原稿判別手段３が判別すると、複写制御器４がキセノン光源発光制御回路への発光許可信号４０を停止する。また、報知回路４１が警告音４２を出す様に指示する。
これにより、使用者は、複写制限原稿を複写できなくなる。なお、この状態で、複写ボタン１０を押圧すると、白紙のＰＰＣ用紙が送出される。
【００７１】
セットされた原稿が複写制限原稿でないと原稿判別手段３が判別すると、複写制御器４がキセノン光源発光制御回路へ発光許可信号４０を送出する。
これにより、使用者は、通常の原稿を複写することができる。
なお、原稿束に複写制限原稿が混じっていた場合には、原稿判別手段３が複写制限原稿を判別した時点で発光許可信号４０を停止するとともに、報知回路４１に警告音４２を出させる。
【００７２】
なお、複写制限原稿は、磁気・磁性インクで文字等を用紙に印刷して作成するか、共振回路を形成する渦巻き状の導電帯（透明が好適）を用紙に形成して作成する。
【００７３】
本実施例の複写機Ａは、下記の利点を有する。
〔ア〕複写機Ａは、使用者が複写許可者であるか否かを指２０の指紋で判別している。このため、使用者が複写許可者であるか否かを精度良く判別できるとともに、非複写許可者による複写制限原稿の不正な複写を防止することができる。
【００７４】
また、指２０の指紋で使用者が複写許可者であることが確認されると、所定時間が経過するか、所定複写枚数に達する迄、複写機本体１を複写制限無しで使用することができるので、使い勝手が良い。
【００７５】
〔イ〕磁気・磁性インクを感知する磁気センサ３１、３２、３３と、共振回路を感知する共振回路センサ３４、３５、３６とを用いて原稿が複写制限原稿であるか否かを判別している。このため、原稿セットガイド１４１、コンタクトガラス１００、または手差しテーブル１３１の何処に原稿がセットされていても、その原稿が複写制限原稿であるか否かを精度良く判別することができる。
【００７６】
なお、複写制限原稿は、磁気・磁性インクを使用して、文字や図形を用紙に描くか、または、用紙に導電帯を形成して共振回路を形成して作成する。
また、従来技術の様に、複写制限原稿の用紙に色を付ける必要がないので、複写制限原稿を取り扱う人が違和感を感じない。
【００７７】
〔ウ〕原稿押え１５が閉じているか、開いているかを検知する原稿カバーセンサ３７を設けている。このため、原稿押え１５を開いた状態での、非複写許可者による複写制限原稿の不正複写を防止することができる。
【００７８】
つぎに、本発明の第２実施例（請求項４〜６に対応）を、図３および図４に基づいて説明する。
図に示す様に、スキャナＢは、スキャナ本体５と、使用者の種別を判別する使用者判別装置２と、原稿の種別を判別する原稿判別手段３と、スキャナ本体５の取込動作を制御する取込制御器６とを備え、パソコン（図示せず）に接続されている。
【００７９】
スキャナ本体５は、原稿セットガイド５１を有するオートドキュメントフィーダ５２、原稿台５３等を備える。
【００８０】
使用者判別装置２は、取込許可者のＩＤ情報を格納しておくメモリ（図示せず）と、取込許可者のＩＤ情報を磁気等で格納したＩＤカード２２と、穴２４に差し込まれたＩＤカード２２のＩＤ情報を読み取る読取器２３と、メモリに格納されたＩＤ情報と読取器２３で読み取ったＩＤカード２２のＩＤ情報とを照合し、両者が一致しているか否かを判別する照合部（図示せず）とを備える。
【００８１】
原稿判別手段３は、取込制限原稿に使われる磁気・磁性インクを感知する磁気センサ３１、３２と、用紙に形成した導電帯（透明が好適）を感知する共振回路センサ３４、３５と、これらセンサの信号に基づいて原稿の判別を行う原稿判別装置３０とを備える。なお、原稿判別手段３は、スキャナＢの電源投入により、作動を開始する。
【００８２】
磁気センサ３１および共振回路センサ３４は、オートドキュメントフィーダ５２の原稿セットガイド５１の上面に配設されている。
これらのセンサは、原稿セットガイド５１にセットされた原稿が取込制限原稿であるか否かを判別するためのものである。
【００８３】
磁気センサ３２および共振回路センサ３５は、原稿送りベルト５４より上方のオートドキュメントフィーダ５２の裏面に配設されている。
これらのセンサは、原稿台５３上にセットされた原稿が取込制限原稿であるか否かを判別するためのものである。
【００８４】
原稿カバーセンサ３７は、オートドキュメントフィーダ５２が閉じているか、開いているかを検知するためのものである。この原稿カバーセンサ３７は、オートドキュメントフィーダ５２を開いた状態での、取込制限原稿の不正取込を防止するためのものである。なお、オートドキュメントフィーダ５２を開くと、原稿−  センサ間の距離が大きくなるので、磁気センサ３２および共振回路センサ３５が取込制限原稿を感知し難くなる。
【００８５】
取込制御器６は、下記の様にスキャナ本体５を制御する。
（使用者が取込許可者である場合）
ＩＤカード２２を読取器２３の穴２４に差し込み、ＩＤカード２２のＩＤ情報を読取器２３に読み取らせる。
【００８６】
ＩＤ情報が一致した場合には、取込制御器６が蛍光ランプ発光制御回路（図示せず）へ、所定時間が経過するか、所定取込枚数に達する迄、発光許可信号６０を出力するとともに、原稿判別手段３を機能停止状態にする。
これにより、使用者（取込許可者）は、所定時間が経過するか、所定取込枚数に達する迄、スキャナＢを複写制限無しで使用できる。
【００８７】
（使用者がＩＤカード２２を差し込まない場合や、ＩＤ情報が一致しない場合）
取込制御器６は、原稿判別手段３の作動状態を維持する。
原稿セットガイド５１または原稿台５３に原稿をセットする。
【００８８】
セットされた原稿が取込制限原稿であるか否かを原稿判別手段３が判別する。
セットされた原稿が取込制限原稿であると原稿判別手段３が判別すると、取込制御器６が蛍光ランプ発光制御回路への発光許可信号６０を停止する。また、ブザー６１が警告音６２を出す様に指示する。
これにより、使用者は、取込制限原稿を取り込めれなくなる。なお、この状態で、取込操作を行っても、原稿のイメージを正常に取り込めない。
【００８９】
セットされた原稿が取込制限原稿でないと原稿判別手段３が判別すると、取込制御器６が蛍光ランプ発光制御回路へ発光許可信号６０を送出する。
これにより、使用者は、通常の原稿を取り込むことができる。
なお、原稿束に取込制限原稿が混じっていた場合には、原稿判別手段３が取込制限原稿を判別した時点で発光許可信号６０を停止するとともに、ブザー６１に警告音６２を出させる。
【００９０】
なお、取込制限原稿は、磁気・磁性インクで文字等を用紙に印刷して作成するか、共振回路を形成する渦巻き状の導電帯（透明が好適）を用紙に形成して作成する。
【００９１】
本実施例のスキャナＢは、下記の利点を有する。
〔エ〕スキャナＢは、使用者が複写許可者であるか否かをＩＤカード２２で判別している。このため、使用者が取込許可者であるか否かを精度良く判別できるとともに、非取込許可者による取込制限原稿の不正な取り込みを防止することができる。
【００９２】
また、使用者が複写許可者であることが確認されると、所定時間が経過するか、所定取込枚数に達する迄、スキャナＢを取り込み制限無しで使用することができるので、使い勝手が良い。
【００９３】
〔オ〕磁気・磁性インクを感知する磁気センサ３１、３２と、共振回路を感知する共振回路センサ３４、３５とを用いて原稿が取込制限原稿であるか否かを判別している。このため、原稿セットガイド５１または原稿台５３の何方かに原稿がセットされていても、その原稿が取込制限原稿であるか否かを精度良く判別することができる。
【００９４】
なお、取込制限原稿は、磁気・磁性インクを使用して、文字や図形を用紙に描くか、または、用紙に導電帯を形成して共振回路を形成して作成する。
また、従来技術の様に、取込制限原稿の用紙に色を付ける必要がないので、取込制限原稿を取り扱う人が違和感を感じない。
【００９５】
〔カ〕オートドキュメントフィーダ５２が閉じているか、開いているかを検知する原稿カバーセンサ３７を設けている。このため、オートドキュメントフィーダ５２を開いた状態での、非取込許可者による取込制限原稿の不正取り込みを防止することができる。
【００９６】
つぎに、本発明の第３実施例（請求項７〜９に対応）を、図５および図６に基づいて説明する。
図に示す様に、ファクシミリ装置Ｃは、ファクシミリ本体７と、使用者の種別を判別する使用者判別装置２と、原稿の種別を判別する原稿判別手段３と、ファクシミリ本体７の電送動作を制御する電送制御器８とを備える。
【００９７】
ファクシミリ本体７は、記録紙を収納した記録紙カセット７１、ガイド７０を有する原稿台７２、原稿トレイ７３、ディスプレイや操作ボタン（図示せず）を覆うカバー７４、受話器７５等を備える。
【００９８】
使用者判別装置２は、複写許可者用の暗証番号を格納しておくメモリ（図示せず）と、メモリに格納された暗証番号と、操作ボタンの押圧操作により入力された番号とを照合し、合致しているか否かを判別する照合部（図示せず）とを備える。
【００９９】
原稿判別手段３は、電送制限原稿に使われる磁気・磁性インクを感知する磁気センサ３１と、用紙に形成した導電帯（透明が好適）を感知する共振回路センサ３４と、これらセンサの信号に基づいて原稿の判別を行う原稿判別装置３０とを備える。  なお、原稿判別手段３は、ファクシミリ装置Ｃの電源投入により、作動を開始する。
【０１００】
磁気センサ３１および共振回路センサ３４は、原稿台７２の上面に配設されている。
これらのセンサは、原稿台７２にセットされた原稿が電送制限原稿であるか否かを判別するためのものである。
【０１０１】
電送制御器８は、下記の様にファクシミリ本体７を制御する。
（使用者が電送許可者である場合）
カバー７４を開け、操作ボタンを押圧操作して暗証番号を入力する。
【０１０２】
暗証番号が一致した場合には、電送制御器８がモータ駆動回路（図示せず）へ、所定時間が経過するか、所定電送枚数に達する迄、回転許可信号８０を出力するとともに、原稿判別手段３を機能停止状態にする。
これにより、使用者（電送許可者）は、所定時間が経過するか、所定電送枚数に達する迄、ファクシミリＣを電送制限無しで使用できる。
【０１０３】
（使用者が暗証番号を入力しない場合や、暗証番号が一致しない場合）
電送制御器８は、原稿判別手段３の作動状態を維持する。
原稿セットガイド５１または原稿台５３に原稿をセットする。
【０１０４】
セットされた原稿が電送制限原稿であるか否かを原稿判別手段３が判別する。
セットされた原稿が電送制限原稿であると原稿判別手段３が判別すると、電送制御器８がモータ駆動回路への回転許可信号８０を停止する。また、ブザー８１が警告音８２を出す様に指示する。
これにより、使用者は、電送操作を行っても、電送制限原稿を電送できなくなる。
【０１０５】
セットされた原稿が電送制限原稿でないと原稿判別手段３が判別すると、取込制御器６が蛍光ランプ発光制御回路へ発光許可信号６０を送出する。
これにより、使用者は、通常の原稿を相手方へ電送することができる。
なお、原稿束に取込制限原稿が混じっていた場合には、原稿判別手段３が電送制限原稿を判別した時点で回転許可信号８０を停止するとともに、ブザー８１に警告音８２を出させる。
【０１０６】
なお、電送制限原稿は、磁気・磁性インクで文字等を用紙に印刷して作成するか、共振回路を形成する渦巻き状の導電帯（透明が好適）を用紙に形成して作成する。
【０１０７】
本実施例のファクシミリ装置Ｃは、下記の利点を有する。
〔キ〕ファクシミリ装置Ｃは、使用者が電送許可者であるか否かを暗証番号で判別している。このため、使用者が電送許可者であるか否かを精度良く判別できるとともに、非電送許可者による、相手方への電送制限原稿の不正な電送を防止することができる。
【０１０８】
また、使用者が電送許可者であることが確認されると、所定時間が経過するか、所定電送枚数に達する迄、ファクシミリ装置Ｃを電送制限無しで使用することができるので、使い勝手が良い。
【０１０９】
〔ク〕磁気・磁性インクを感知する磁気センサ３１と、共振回路を感知する共振回路センサ３４とを用いて原稿が電送制限原稿であるか否かを判別している。このため、原稿台７２にセットされている原稿が電送制限原稿であるか否かを精度良く判別することができる。
【０１１０】
なお、電送制限原稿は、磁気・磁性インクを使用して、文字や図形を用紙に描くか、または、用紙に導電帯を形成して共振回路を形成して作成する。
また、従来技術の様に、電送制限原稿の用紙に色を付ける必要がないので、電送制限原稿を取り扱う人が違和感を感じない。
【０１１１】
本発明は、上記実施例以外に、つぎの実施態様を含む。
ａ．原稿判別手段は、その他、マイクロ文字を感知するセンサや、原稿の導電率が所定範囲外であることを感知する導電率センサを採用しても良い（請求項３、６、９に対応）。
【０１１２】
ｂ．使用者判別手段は、その他、許可者の登録済声紋と使用者の声紋との照合や、許可者の登録済網膜画像と使用者の網膜画像との照合により、使用者が許可者であるか否かの判別を行う構成でも良い（請求項２、５、８に対応）。
【０１１３】
ｃ．第１実施例の複写機Ａにおいて、使用者が複写許可者であると使用者判別装置２が判別せず、且つ、セットされた原稿が複写制限原稿であると原稿判別手段３が判別した状態で使用者が複写操作を行うと、複写制御器４は、ＰＰＣ用紙に複写された複写内容が判読不能になる様に複写機本体１を複写動作させる以外に、▲１▼複写機本体１の複写動作を禁止するか、▲２▼複写である旨を示す文字や図形がＰＰＣ用紙に添付される様に複写機本体１を複写動作させる様にしても良い（請求項１に対応）。
【０１１４】
ｄ．第２実施例のスキャナＢにおいて、使用者が取込許可者であると使用者判別装置２が判別せず、且つ、セットされた原稿が取込制限原稿であると原稿判別手段３が判別した状態で使用者が取込操作を行うと、取込制御器４は、パソコンに取込んだ取込データが利用不能になる様にスキャナ本体５を取込動作させる以外に、▲１▼スキャナ本体５の取込動作を禁止するか、取込データである旨を示す文字や図形が取込データ中に付加される様に取込動作させるか、▲２▼パソコンに取込んだ取込データが利用不能になる様にスキャナ本体５を取込動作させる様にしても良い（請求項４に対応）。
【０１１５】
ｅ．第２実施例のファクシミリ装置Ｃにおいて、使用者が電送許可者であると使用者判別装置２が判別せず、且つ、セットされた原稿が電送制限原稿であると原稿判別手段３が判別した状態で使用者が電送操作を行うと、電送制御器８は、電送データが利用不能になる様にファクシミリ装置本体７を電送動作させる以外に、ファクシミリ装置本体７の電送動作を禁止する様にしても良い。
【図面の簡単な説明】
【図１】本発明の第１実施例に係る複写機の外観を示す説明図である。
【図２】その複写機の構成を示すブロック図である。
【図３】本発明の第２実施例に係るスキャナの外観を示す説明図である。
【図４】そのスキャナの構成を示すブロック図である。
【図５】本発明の第３実施例に係るファクシミリ装置の外観を示す説明図である。
【図６】そのファクシミリ装置の構成を示すブロック図である。
【符号の説明】
Ａ  複写機
Ｂ  スキャナ
Ｃ  ファクシミリ装置
２  使用者判別装置（使用者判別手段）
３  原稿判別手段
４  複写制御器（複写制御手段）
１３  手差し用の原稿給紙トレイ（原稿給紙トレイ）
１４  原稿給紙トレイ
３１、３２、３３  磁気センサ
３４、３５、３６  共振回路センサ（センサ）
７０  ガイド（原稿セットガイド）
７２  原稿台（原稿給紙トレイ）
１００  コンタクトガラス
１３１  手差しテーブル（原稿セットガイド）
１４１  原稿セットガイド
【図１】
2004245962.tif 000003
【図２】
2004245962.tif 000004
【図３】
2004245962.tif 000005
【図４】
2004245962.tif 000006
【図５】
2004245962.tif 000007
【図６】
2004245962.tif 000008